(57)【要約】【課題】プラントを監視制御するための表示画面より随時、操作マニュアルを呼び出せるようにした運転員支援装置を得る。【解決手段】サブループデータ１９と、系統図データ１８と、操作端データ２０と、自動化機能情報データ２１の各データファイルが、記憶装置に格納され、これらのデータファイルの各データは、呼び出し操作マニュアルデータ２５により、操作マニュアル文章データ２４の該当部分と紐付けされており、表示装置１１に各データファイルのいずれかが表示されているとき、その中の任意の表示箇所が選択されることにより、その表示箇所に紐付けされた操作マニュアル文章データ２４が読み出され、運転員に参照されるようになっている。【選択図】図１
2011248442.tif 000002
【特許請求の範囲】
【請求項１】
プラントを監視制御するために参照される参照情報を有する参照情報ファイルと、
上記プラントを操作支援するための操作マニュアルを有する操作マニュアルファイルと、
上記参照情報と上記操作マニュアルとの互いに関連する部分を紐付けした紐付け情報を有する紐付け情報ファイルとを格納した記憶部、
上記参照情報が表示装置に表示されている場合に、この表示された上記参照情報の一部が選択されることにより、上記選択された参照情報の一部に紐付けされた上記操作マニュアルを上記記憶部から読み出し、上記表示装置に表示する表示制御手段を備えたことを特徴とする運転員支援装置。
【請求項２】
上記操作マニュアルは、標準テキスト形式で記載され、
この記載された文字列をキーにして、上記参照情報の文字列を検索し、同じ文字列がある場合に、上記参照情報及び上記操作マニュアルの上記文字列を有するデータ同士を紐付けし、上記紐付け情報ファイルに格納する紐付け情報生成手段を備えたことを特徴とする請求項１記載の運転員支援装置。
【請求項３】
上記紐付け情報生成手段は、上記参照情報にデータが追加された場合に、上記追加されたデータ中の文字列をキーにして上記操作マニュアルを検索し、同じ文字列を有するデータ同士を紐付けし、上記紐付け情報ファイルに格納することを特徴とする請求項２記載の運転員支援装置。
【請求項４】
上記紐付け情報ファイルの上記参照情報と上記操作マニュアルとの紐付け情報を変更する変更手段を備えたことを特徴とする請求項１〜請求項３のいずれかに記載の運転員支援装置。
【請求項５】
上記操作マニュアルにしたがった操作を行った場合のプラントの状態を、上記参照情報に基づいて予測する予測手段を備えたことを特徴とする請求項１〜請求項４のいずれかに記載の運転員支援装置。
【請求項６】
上記参照情報は、系統図、操作端、サブループ及び自動化機能の各情報のいずれかを含むことを特徴とする請求項１〜請求項５のいずれかに記載の運転員支援装置。
【発明の詳細な説明】
【技術分野】
【０００１】
この発明は、プラント監視制御装置によるプラントの監視および操作に対する運転員への支援を行う運転員支援装置に関するものである。
【背景技術】
【０００２】
各種プラントにおいては、プラント監視制御装置が多く用いられており、このプラント監視制御装置は、各運転員の判断により、プラントの機器の状態およびプロセスを、監視および制御するものである。（特許文献１参照）
【先行技術文献】
【特許文献】
【０００３】
【特許文献１】特開昭６４−８２１０７号公報（第２〜４頁、図１）
【発明の概要】
【発明が解決しようとする課題】
【０００４】
プラントの運転に対して、操作が必須である操作端の判断や、操作後に続けて実行しなければならない操作の見極めは、プラントに対する熟練度の差により各運転員で異なっている。このため、運転員によって操作回数や時間に差が生じるだけでなく、余分な操作や時間を掛けることにより、予期せぬ事故を引き起こす恐れがある。
また、各運転員が判断できない状況に陥ったとき、各運転員は各プラントに用意されている運転マニュアルに従い運転をする必要がある。しかし、この運転マニュアルは、プラント監視制御装置に対するマニュアルではなく、あくまでプラント監視および制御に対するマニュアルであり、マニュアルどおりにプラント監視制御装置を作動させるためには、プラント監視制御装置を熟知している必要があるという問題がある。
さらに、監視および制御の機能ごとに操作方法が異なっている。このため、運転員は各機能に対する操作方法を十分に習得する必要があるという問題もあった。
【０００５】
この発明は、上述のような課題を解決するためになされたものであり、プラントを監視制御するための表示画面より随時、操作マニュアルを呼び出せるようにした運転員支援装置を得ることを目的にしている。
【課題を解決するための手段】
【０００６】
この発明に係わる運転員支援装置においては、プラントを監視制御するために参照される参照情報を有する参照情報ファイルと、プラントを操作支援するための操作マニュアルを有する操作マニュアルファイルと、参照情報と操作マニュアルとの互いに関連する部分を紐付けした紐付け情報を有する紐付け情報ファイルとを格納した記憶部、参照情報が表示装置に表示されている場合に、この表示された参照情報の一部が選択されることにより、選択された参照情報の一部に紐付けされた操作マニュアルを記憶部から読み出し、表示装置に表示する表示制御手段を備えたものである。
【発明の効果】
【０００７】
この発明は、以上説明したように、プラントを監視制御するために参照される参照情報を有する参照情報ファイルと、プラントを操作支援するための操作マニュアルを有する操作マニュアルファイルと、参照情報と操作マニュアルとの互いに関連する部分を紐付けした紐付け情報を有する紐付け情報ファイルとを格納した記憶部、参照情報が表示装置に表示されている場合に、この表示された参照情報の一部が選択されることにより、選択された参照情報の一部に紐付けされた操作マニュアルを記憶部から読み出し、表示装置に表示
する表示制御手段を備えたので、表示された参照情報から操作マニュアルを呼び出すことができ、操作マニュアルによる運転支援を行うことができる。
【図面の簡単な説明】
【０００８】
【図１】この発明の実施の形態１〜実施の形態５によるプラント監視制御装置を示す構成図である。
【図２】この発明の実施の形態１によるプラント監視制御装置の表示装置へのデータ出力を示す説明図である。
【図３】この発明の実施の形態１によるプラント監視制御装置の表示装置から操作マニュアルを呼び出す処理を示すフローチャートである。
【図４】この発明の実施の形態２によるプラント監視制御装置の呼び出し操作マニュアルデータを示す図である。
【図５】この発明の実施の形態２によるプラント監視制御装置の各データファイルを示す図である。
【図６】この発明の実施の形態２によるプラント監視制御装置の呼び出し操作マニュアルデータ作成処理を示すフローチャートである。
【図７】この発明の実施の形態２によるプラント監視制御装置の呼び出し操作マニュアルデータ作成を示す概略イメージ図である。
【図８】この発明の実施の形態３によるプラント監視制御装置の呼び出し操作マニュアルデータ作成処理を示すフローチャートである。
【図９】この発明の実施の形態４によるプラント監視制御装置の呼び出し操作マニュアルデータ修正を示す概略イメージである。
【図１０】この発明の実施の形態５によるプラント監視制御装置の操作イメージを示す図である。
【発明を実施するための形態】
【０００９】
実施の形態１．
この発明における電子媒体マニュアルは、紙面媒体マニュアルと同様に、プラント監視制御装置の操作手順や注意点などが電子媒体に記載され、必要に応じて、表示されるようになっている。また、電子媒体マニュアルに記載された文字列は、関連する機能や画面（系統図など）を呼び出すためのキーとなって、プラント監視制御装置上の関連する機能や画面を呼び出すようになっている。
これにより、電子媒体マニュアルに沿った運転を運転員に促し、監視および操作をプラント監視制御装置単体に集中させることで、運転員が注視する箇所を一箇所にまとめ、紙面媒体マニュアルでの必要箇所を探すための時間を軽減できるようにしている。
【００１０】
以下、実施の形態１について図を参照して詳細に説明する。
図１は、この発明の実施の形態１によるプラント監視制御装置を示す構成図である。
図１において、プラント監視制御装置１００は、プラントの機器の状態、および電圧・電流・電力等のプロセスを、表示装置に表示し、監視・制御を行うように構成されるとともに、この発明では、運転員支援装置を形成する計算機本体１０と、運転員支援情報を表示する表示装置１１とを有している。
計算機本体１０は、次のように構成されている。
呼び出し操作マニュアルデータ２５と、操作マニュアル文章データ２４と、サブループデータ１９と、系統図データ１８と、操作端データ２０と、自動化機能情報データ２１の各データファイルが、記憶装置（記憶部）の既定のデータベースに格納されている。
ここで、操作マニュアル文章データ２４（操作マニュアルファイル）は、プラント監視制御装置の操作手順や注意点などを文章により電子媒体に記載されている。呼び出し操作マニュアルデータ２５（紐付け情報ファイル）は、操作マニュアル文章データ２４と他のデータとの紐付けを行う紐付け情報を有している。
また、サブループデータ１９と、系統図データ１８と、操作端データ２０と、自動化機能情報データ２１の各データファイルは、プラントを監視制御するために参照される参照情報を有する参照情報ファイルである。
系統図データ１８、サブループデータ１９、操作端データ２０、自動化機能情報データ２１は同じ構造をしており、番号とデータ名称の対の配列である。この番号は、呼び出し操作マニュアルデータ２５の末尾の番号と対応させることで、呼び出し操作マニュアルデータ２５との関連付けを行うことができる。例えば、操作端データ２０を例に取ると、呼び出し操作マニュアルデータ２５がどこの操作端に対するものかは、操作端データ２０の内で末尾の番号と同じ番号を持つものを指しているのである。
【００１１】
表示画面出力部１２は、表示装置１１に表示画面を表示させる。呼び出し操作マニュアルデータ生成部２３（紐付け情報生成手段）は、操作マニュアル文章データ２４を参照して、操作マニュアル文章データ２４と各データファイルとを紐付けた呼び出し操作マニュアルデータ２５を生成し、記憶装置に格納する。操作マニュアル出力部１３は、呼び出し操作マニュアルデータ２５を参照して、操作マニュアル文章データ２４を表示画面出力部１２に出力する。系統図出力部１４は、系統図データ１８を表示画面出力部１２に出力する。
サブループ出力部１５は、サブループデータ１９を表示画面出力部１２に出力する。操作端出力部１６は、操作端データ２０を表示画面出力部１２に出力する。自動化機能情報出力部１７は、自動化情報データ２１を表示画面出力部１２に出力する。
各出力部（表示制御手段）の出力では、必要に応じて呼び出し操作マニュアルデータ２５を参照するようになっている。
操作結果予想機能装置２６は、後述の実施の形態５で詳述するように、呼び出し操作マニュアルデータ２５と、サブループデータ１９と、系統図データ１８と、操作端データ２０と、自動化情報データ２１とを参照して、操作マニュアルに基づく運転操作の結果のプラントの状態を予想する。
【００１２】
図２は、この発明の実施の形態１によるプラント監視制御装置の表示装置へのデータ出力を示す説明図である。
図２において、１０〜１７、１００は図１におけるものと同一のものである。図２では、表示装置１１と表示画面出力部１２との間の信号の流れ、及び表示画面出力部１２と、他の出力部である操作マニュアル出力部１３、系統図出力部１４、サブループ出力部１５、操作端出力部１６、自動化機能情報出力部１７との間の信号の流れを示している。
信号１は、表示装置１１から操作マニュアル出力部１３への信号であり、信号２は、表示装置１１から系統図出力部１４への信号であり、信号３は、表示装置１１からサブループ出力部１５への信号であり、信号４は、表示装置１１から操作端出力部１６への信号であり、信号５は、表示装置１１から自動化機能情報出力部１７への信号である。
【００１３】
図３は、この発明の実施の形態１によるプラント監視制御装置の表示装置から操作マニュアルを呼び出す処理を示すフローチャートである。
【００１４】
次に、動作について説明する。
図２のように、表示装置１１は、表示したい画面の種別毎（各データファイル種別）に特定の信号を出力することが可能であり、この画面呼び出し信号が入力されると、特定の信号がどの種別であるかを表示画面出力部１２が判断する。
そして、表示画面出力部１２は、判断の結果、操作マニュアル出力部１３、系統図出力部１４、サブループ出力部１５、操作端出力部１６、自動化機能情報出力部１７のいずれかにデータ抽出の依頼を発信し、これに応答して、各々の機能による画面データが、操作マニュアル出力部１３、系統図出力部１４、サブループ出力部１５、操作端出力部１６、自動化機能情報出力部１７から出力され、表示画面出力部１２を介して、表示装置１１に
表示されるようになっている。
【００１５】
次に、図３を用いて、表示装置１１から操作マニュアルを呼び出す場合の処理について説明する。
表示装置１１に系統図が表示されている（Ｓ１）場合に、この系統図より操作マニュアル呼び出しを行う機能を実行する（Ｓ２）。表示された系統図で実行される操作が判断され（Ｓ３）、実行される操作が操作Ａであれば、操作Ａの操作マニュアル文章データ２４を呼び出す処理が実行され（Ｓ４）、操作Ａ用の操作マニュアル文章データ２４が表示装置１１に表示される（Ｓ５）。
また、系統図で実行される操作が操作Ｂであれば、操作Ｂの操作マニュアル文章データ２４を呼び出す処理が実行され（Ｓ６）、操作Ｂ用の操作マニュアル文章データ２４が表示装置１１に表示される（Ｓ７）。
【００１６】
なお、上述の図３の説明では、系統図より操作マニュアルを呼び出す場合について説明したが、系統図に限らず、サブループ、操作端、および自動化機能情報を表示したのち、それに関する操作マニュアルを呼び出すことが可能である。
さらに、表示された操作マニュアル文章データ２４から、その操作マニュアル文章データ２４に記載された操作端、系統図、サブループ、自動化機能情報を表示することもできるようになっている。
【００１７】
実施の形態１によれば、プラント監視制御装置の監視および操作中において適宜、関連する操作マニュアルを呼び出すことが可能であり、これにより技術が未熟な運転員に対する運転支援を行うことができる。
さらに、表示された操作マニュアルから、必要な操作端、系統図、サブループ、自動化機能情報などの参照データを呼び出すこともできる。
【００１８】
実施の形態２．
実施の形態２は、図１の構成であり、呼び出し操作マニュアルデータの作成に係わるもので、操作マニュアル文章データと、既定のデータベースの系統図データ、操作端データ、サブループデータ、自動化機能情報データとの紐付けを行うものである。
操作マニュアル文章データ上の文字列をキーとして各データファイルを検索し、一致する文字列があれば、その文字列を有するデータを呼び出すための項目として紐付けている。
【００１９】
図４は、この発明の実施の形態２によるプラント監視制御装置の呼び出し操作マニュアルデータを示す図である。
図４において、呼び出し操作マニュアルデータ２５のファイルは、呼び出し操作マニュアルデータ２５内のデータを特定する単一の項目である「Ｎｏ．」と、操作マニュアル文章データ２４の文章内で系統図データ１８、サブループデータ１９、操作端データ２０、自動化機能情報データ２１が紐付けられた文字列の「名称」と、操作マニュアル文章データ２４の文章内のどの箇所に記載されたかを判別する「位置」と、系統図データ１８、サブループデータ１９、操作端データ２０、自動化機能情報データ２１の各データファイルのうちのどのデータファイルが紐付いているかを判別するための「対象種別」と、系統図データ１８、サブループデータ１９、操作端データ２０、自動化機能情報データ２１の各データファイル中のデータを示す「データＮｏ．」との各フィールドを有している。
【００２０】
図５は、この発明の実施の形態２によるプラント監視制御装置の各データファイルを示す図である。
図５において、系統図データ１８、サブループデータ１９、操作端データ２０、自動化機能情報データ２１の各データファイルは、ファイル中のデータを示す「データＮｏ．」
ごとに、文字列からなる「名称」をもっている。
【００２１】
図６は、この発明の実施の形態２によるプラント監視制御装置の呼び出し操作マニュアルデータ作成処理を示すフローチャートである。
【００２２】
図７は、この発明の実施の形態２によるプラント監視制御装置の呼び出し操作マニュアルデータ作成を示す概略イメージ図である。
図７において、呼び出し操作マニュアルデータ２５と、操作端データ２０との紐付けが示されている。呼び出し操作マニュアルデータ２５では、データＮｏ．１の名称は、ＡＡＡ弁であり、位置が３ページ２であり、対象種別が操作端であり、データＮｏ．が３となっている。これに紐付けされた操作端データ２０のデータＮｏ．３の名称が圧力調節弁となっている。呼び出し操作マニュアルデータ２５のデータＮｏ．１の名称のＡＡＡ弁は、操作マニュアル文章データ２４中の文字列であり、この文字列が、呼び出し操作マニュアルデータ２５のデータＮｏ．１を介して、操作端データ２０のデータＮｏ．３に紐付けされている。
【００２３】
次に、図６にしたがって、呼び出し操作マニュアルデータ２５を生成するための処理について説明する。この処理は、操作マニュアル生成部２３によって実行される。
図６で、まず、操作マニュアル文章データ２４が登録される（Ｓ１１）と、操作マニュアル文章データ２４中の文字列をキーとして、系統図データ１８、サブループデータ１９、操作端データ２０、自動化機能情報データ２１を検索し（Ｓ１２）、キーとした文字列が存在したら、つまり、紐付ける対象を発見したら、図７に示すように、キーとした文字列とデータファイルの該当データを紐付ける（Ｓ１３）。
全てのデータを検索し終えるまで、検索を実行し（Ｓ１４）、キーに該当する文字列が、系統図データ１８、サブループデータ１９、操作端データ２０、自動化機能情報データ２１のいずれかのデータファイル中に存在すれば（Ｓ１５）、Ｓ１３を実行する。
キーに該当する文字列が存在しなくなれば、紐付け情報を追加した呼び出し操作マニュアルデータ２５を再生成する（Ｓ１６）。
このように、操作マニュアル文章データ２４が登録されるつど、紐付ける対象を発見したのち、呼び出し操作マニュアルデータ２５にレコードを追加していき、図７のように、例えば操作端データ２０と操作マニュアル文章データ２４が紐付けられた呼び出し操作マニュアルデータ２５となる。
【００２４】
実施の形態２では、操作マニュアル文章データ２４を標準テキスト形式（．ｔｘｔ）で記載することを条件にするだけで、操作マニュアル文章データ２４を登録のつど、すでに登録されているデータファイルとの紐付けが自動で実行される。
このため、操作マニュアル文章データの記載者は、プラント監視制御装置の詳細データを意識することなく、呼び出し操作マニュアルデータを作成することが可能である。
これにより、熟練度の高い運転員の知識を操作マニュアルに反映することで、その操作マニュアルの内容をプラント監視制御装置へ手間を掛けることなく取り込み、プラント監視制御装置を通じて、熟練した知識を未熟な運転員へ伝え教えるようにすることができる。
【００２５】
実施の形態３．
実施の形態３は、図１の構成であり、既定のデータベースの系統図データ、操作端データ、サブループデータ、自動化機能情報データに対して、新規にデータを登録した場合の操作マニュアル文章データとの紐付けについてのものである。これらのデータファイルに新規データを登録したとき、操作マニュアル文章データ中の文章に対して、新規データ中の文字列をキーにして検索を実行し、操作マニュアル文章データ中の文章上で該当した文字列を、その新規データを呼び出すための項目とするように紐付けを行う。
【００２６】
図８は、この発明の実施の形態３によるプラント監視制御装置の呼び出し操作マニュアルデータ作成処理を示すフローチャートである。
【００２７】
図８においては、系統図データ１８、サブループデータ１９、操作端データ２０、自動化機能情報データ２１に新規追加データを登録したタイミングで、操作マニュアル生成部２３が作動し、図８の手順により、新規追加データを操作マニュアル文章データ２４に紐付けて、呼び出し操作マニュアルデータファイル２５を作成する。
【００２８】
図８で、系統図データ１８、サブループデータ１９、操作端データ２０、自動化機能情報データ２１に新たにデータが登録された（Ｓ２１）場合に、それを読み込み、新たなデータの名称（文字列）をキーとして、操作マニュアル文章データ２４を検索する（Ｓ２２）。操作マニュアル文章データ２４から該当する文字列が抽出されたら、キーと検索結果の文字列とを、図７のように、呼び出し操作マニュアルデータ２５で紐付ける（Ｓ２３）。
操作マニュアル文章データ２４を全て検索し終えるまで、検索を実行し（Ｓ２４）、操作マニュアル文章データ２４を全て検索し終わったら（Ｓ２５）、呼び出し操作マニュアルデータ２５を再生成する（Ｓ２６）。操作マニュアル文章データ２４を全て検索し終わっていなければ、ステップＳ２２に移行する。
【００２９】
実施の形態３によれば、これにより、プラントに対して新たに改造を行い、データの登録が必要となった場合でも、操作マニュアル文章データと各データファイルの紐付けを実施する必要はなく、自動で呼び出し操作マニュアルデータが編集されることとなり、マニュアル作成者の負担を減らすことができる。
【００３０】
実施の形態４．
実施の形態４は、図１の構成であり、既存のデータベースを形成する系統図データ、操作端データ、サブループデータ、自動化機能情報データに新規にデータを登録した場合に、呼び出し操作マニュアルデータ２５の紐付け情報を編集できるようにする機能を設けたものである。
【００３１】
図９は、この発明の実施の形態４によるプラント監視制御装置の呼び出し操作マニュアルデータ修正を示す概略イメージである。
図９において、呼び出し操作マニュアルデータ２５中の編集対象文字列を選択し、紐付け対象データ選択機能画面３０を呼び出す。紐付け対象データ選択機能画面３０から新たにデータファイル種別及びデータＮｏ．を選択することで、呼び出し操作マニュアルデータ２５の紐付け情報の変更を行うことができる。紐付け対象データ選択機能画面３０は、各データファイルの対象データをまとめた、複数のデータファイル種別及びデータＮｏ．が表示され、いずれかが選択されるように構成されている。
【００３２】
実施の形態２または実施の形態３で作成される呼び出し操作マニュアルデータ２５は、自動で生成されるため、時として意図せぬ生成物となることもある。その場合には、運転員が手動で編集する必要が生じる。このため、実施の形態４は、呼び出し操作マニュアルデータ２５を編集する機能（変更手段）を有している。
手動で呼び出し操作マニュアルデータ２５を編集する際は、呼び出し操作マニュアルデータ２５の、操作マニュアル文章データ２４が紐付けられた箇所を選択し、系統図データ１８、サブループデータ１９、操作端データ２０、自動化機能情報データ２１のうちの対象データをまとめた紐付け対象データ選択機能画面３０を呼び出す。そして、呼び出された内のいずれかの呼び出し対象データを選択すると、選択されたデータにより、呼び出し操作マニュアルデータ２５が変更され、選択されたデータが新たに操作マニュアル文章データ２４に紐付けされる。
すなわち、紐付け対象データ選択機能画面３０から、図９のように、データファイルの内のいずれかのデータを選択することにより、ビジュアル的にデータファイルと操作マニュアル文章データ２４との紐付けを修正することが可能になる。
【００３３】
実施の形態４によれば、運転員の熟練度が上がることにより、操作方法が変わる事態になったときにも、電子媒体マニュアルと、系統図データ１８、サブループデータ１９、操作端データ２０、自動化機能情報データ２１の各データファイルと、操作マニュアル文章データ２４との紐付けを変更することで対応することができる。
【００３４】
実施の形態５．
実施の形態５は、図１の構成であり、登録した系統図データ１８、操作端データ１９、サブループデータ２０、自動化機能情報データ２１に関連する現在のプラントデータを取得すると同時に、操作マニュアル文章データ２４を解析することで、操作後のプラント状態を予測する機能として、図１の操作結果予想機能装置２６（予測手段）を設けたものである。
【００３５】
図１０は、この発明の実施の形態５によるプラント監視制御装置の操作イメージを示す図である。
図１０において、（１）操作マニュアル文章データ２４の選択された文字列から操作端Ｂを呼び出す。（２）操作マニュアル文章データ２４の記載に従い、実行予定の機能（図１０では、操作端Ｂの開または閉）を選択する。（３）プラントの状態に応じた、機能実行後の予測値が表示される。
【００３６】
実施の形態５は、図１の操作結果予想機能装置２６により、操作後のプラント状態を予測するものである。
登録された呼び出し操作マニュアルデータ２５、操作マニュアル文章データ２４、系統図データ１８、操作端データ１９、サブループデータ２０、自動化機能情報データ２１の現状のデータを取得し、プラント監視制御装置１００が持つプラントの状態を示す情報から、操作マニュアル文章データ２４に記載された操作（機能）を実施した後のプラントの状態を予想し、表示画面出力部１３により、操作マニュアル文章データ２４上にその予測値を表示する。
例えば、操作端データ２０と操作マニュアル文章データ２４を表示したとき、図１０のように、操作端Ｂを、開または閉の操作を行うと、操作マニュアル文章データ２４上に表示された予測値欄の値が変動するようになっている。このため、実際の操作を行う前に操作後の値を知ることができる。
【００３７】
実施の形態５によれば、これにより、運転員はリアルタイムにプラントの状態を監視することが可能なだけでなく、現状に対して操作後の予想を立てながら、今後の制御や監視を行うことが可能になる。
【符号の説明】
【００３８】
１０  計算機本体
１１  表示装置
１２  表示画面出力部
１３  操作マニュアル出力部
１４  系統図出力部
１５  サブループ出力部
１６  操作端出力部
１７  自動化機能情報出力部
１８  系統図データ
１９  サブループデータ
２０  操作端データ
２１  自動化機能情報データ
２３  操作マニュアルデータ生成部
２４  操作マニュアル文章データ
２５  呼び出し操作マニュアルデータ
２６  操作結果予想機能装置
３０  紐付け対象データ選択機能画面
１００  プラント監視制御装置
【図１】
2011248442.tif 000003
【図２】
2011248442.tif 000004
【図３】
2011248442.tif 000005
【図４】
2011248442.tif 000006
【図５】
2011248442.tif 000007
【図６】
2011248442.tif 000008
【図７】
2011248442.tif 000009
【図８】
2011248442.tif 000010
【図９】
2011248442.tif 000011
【図１０】
2011248442.tif 000012